(57)【特許請求の範囲】
【請求項１】
相手方コネクタに差し込まれる差し込み部および前記差し込み部の後方において端子を保持する端子保持部とを有するハウジングと、
少なくとも差し込み方向を露出させて、前記差し込み部および前記端子保持部を覆うシールド部材と、
前記シールド部材の前記端子保持部側において、前記ハウジングと前記シールド部材との接合力を補強する補強部材とを備え、
前記ハウジングは、前記シールド部材の前記差し込み部側を突出させた状態で、前記シールド部材を保持するハウジング本体を有し、
前記補強部材は、金属で形成され、前記シールド部材と前記ハウジング本体とを囲うように環状に形成され、
前記シールド部材は、前記差し込み方向の両端を開放させた筒状に形成され、
前記補強部材は、前記シールド部材が前記ハウジングに接合するよう前記シールド部材に嵌合されることを特徴とするコネクタ。
【請求項２】
前記端子保持部の後方に配置され、ケーブルが接続されるケーブル取付部材を備え、
前記シールド部材は、後端部に前記差し込み方向に対して直交する方向に突出し、前記ケーブル取付部材に当接する後面および前記補強部材に当接する前面が形成された突出部を有し、
前記ケーブル取付部材は、前記突出部の後面に対向する当接面を有し、
前記補強部材は、前記突出部の前面に対向する当接面と、前記ケーブル取付部材の当接面を前記突出部の後面に押し付けるように前記ケーブル取付部材に係合する係合部とを有し、
前記係合部と前記ケーブル取付部材との係合により、前記ケーブル取付部材の当接面と前記補強部材の当接面とで前記突出部を挟み込むことを特徴とする請求項１に記載のコネクタ。
【請求項３】
前記ケーブル取付部は、前記端子保持部に保持された前記端子が挿通される挿通孔および、前記挿通孔に連なり、前記ケーブルの取付部が形成されたことを特徴とする請求項２に記載のコネクタ。
【発明の詳細な説明】
【技術分野】
【０００１】
本発明は、コネクタに関し、特に、電子機器に接続されるケーブルの先端に設けられるコネクタに関する。
【背景技術】
【０００２】
従来、ケーブルの先端に設けられるコネクタとして、こじり強度を高めたコネクタが知られている（例えば、特許文献１参照）。このコネクタは、複数の端子を保持したハウジングを、金属性の２つのシールド部材で上下から挟み込むことで組み立てられている。２つのシールド部材は、それぞれ打ち抜き加工により抜き出された金属板を折り曲げて形成されており、上側のシールド部材の板厚方向に設けられた凹部に、下側のシールド部材に設けられた凸部がコネクタの厚み方向から挿入されることで係合される。
【０００３】
また、ハウジングには、電子機器のスロットに差し込まれる差し込み部が延設されており、差し込み部は、上側のシールド部材によりシールドされている。そして、電子機器のスロットに対してコネクタの差し込み部が差し込まれた状態でこじられると、下側のシールド部材の凸部に作用する力が、上側のシールド部材の凹部において金属板の厚みで受けられる。このように、従来のコネクタは、こじりによって上下のシールド部材の係合部分に作用する力を、金属板の厚みで受けることによりこじり強度を高めている。
【先行技術文献】
【特許文献】
【０００４】
【特許文献１】特開２００８−１０３１１４号公報
【発明の概要】
【発明が解決しようとする課題】
【０００５】
しかしながら、上記したような従来のコネクタにおいては、こじりによって上下のシールド部材の係合部分に作用する力を、金属板の厚みで受ける構造であるため、上下のシールド部材の厚みを大きくしなければ、こじり強度を高めることができないという問題があった。
【０００６】
また、近年、電子機器の薄型化に伴いコネクタの薄型化が望まれているが、上記したように、耐こじり性を高めるために上側のシールド部材の厚みを大きくする必要があるため、ハウジングの差し込み部が厚くシールドされ、コネクタの薄型化を図ることが困難となっていた。
【０００７】
本発明はこのような実情に鑑みてなされたものであり、相手方コネクタに差し込まれる先端部分をシールドするシールド部材の板厚を厚くすることなく、こじり強度を高めることができるコネクタを提供することを目的とする。
【課題を解決するための手段】
【０００８】
本発明のコネクタは、相手方コネクタに差し込まれる差し込み部および前記差し込み部の後方において端子を保持する端子保持部とを有するハウジングと、少なくとも差し込み方向を露出させて、前記差し込み部および前記端子保持部を覆うシールド部材と、前記シールド部材の前記端子保持部側において、前記ハウジングと前記シールド部材との接合力を補強する補強部材とを備え、前記ハウジングは、前記シールド部材の前記差し込み部側を突出させた状態で、前記シールド部材を保持するハウジング本体を有し、前記補強部材は、金属で形成され、前記シールド部材と前記ハウジング本体とを囲うように環状に形成され、前記シールド部材は、前記差し込み方向の両端を開放させた筒状に形成され、前記補強部材は、前記シールド部材が前記ハウジングに接合するよう前記シールド部材に嵌合されることを特徴とする。
【０００９】
この構成によれば、差し込み部の後方に位置するシールド部材の端子保持部側が、補強部材により補強されるため、差し込み部を覆うシールド部材の板厚を厚くすることなく、こじり強度を高めることができる。よって、こじり強度を確保しつつ、コネクタを薄型の電子機器に対応させることができる。また、金属により環状に形成された補強部材の内周面に沿った広い範囲でハウジングとシールド部材との接合力を高めて、こじり強度および耐ノイズ性を向上させることができる。また、補強部材が環状に形成されているため、開口端からシールド部材およびハウジング本体に装着できるため、組み立てを容易にすることができる。また、シールド部材が筒状に形成されるため、開口端から差し込み部および端子保持部に装着でき、組み立てを容易にすることができる。
【００１６】
また本発明は、上記コネクタにおいて、前記端子保持部の後方に配置され、ケーブルが接続されるケーブル取付部材を備え、前記シールド部材は、後端部に前記差し込み方向に対して直交する方向に突出し、前記ケーブル取付部材に当接する後面および前記補強部材に当接する前面が形成された突出部を有し、前記ケーブル取付部材は、前記突出部の後面に対向する当接面を有し、前記補強部材は、前記突出部の前面に対向する当接面と、前記ケーブル取付部材の当接面を前記突出部の後面に押し付けるように前記ケーブル取付部材に係合する係合部とを有し、前記係合部と前記ケーブル取付部材との係合により、前記ケーブル取付部材の当接面と前記補強部材の当接面とで前記突出部を挟み込むことを特徴とする。
【００１７】
この構成によれば、補強部材の係合部により、ケーブル取付部材がシールド部材に形成された突出部の後面に押し付けられ、シールド部材の突出部がケーブル取付部材の当接面および補強部材の当接面とにより挟み込まれるため、シールド部材、ケーブル取付部材および補強部材を強嵌合させ、こじり強度を高めることができる。また、補強部材の係合部の係合によりシールド部材、ケーブル取付部材および補強部材を強嵌合させるため、組み立てを容易とすることができる。
【００１８】
また本発明は、上記コネクタにおいて、前記ケーブル取付部は、前記端子保持部に保持された前記端子が挿通される挿通孔および、前記挿通孔に連なり、前記ケーブルの取付部が形成されたことを特徴とする。
【００１９】
この構成によれば、ケーブル取付部に挿通孔を介して端子が取付部に露出される。したがって、端子とケーブル取付部材とをインサート成形したものと異なり、ケーブル取付部材を交換することが可能となり、端子およびケーブルの配列に応じて多品種に対応させることができる。
【発明の効果】
【００２０】
本発明によれば、相手方コネクタに差し込まれるコネクタの差し込み部をシールドするシールド部材の板厚を厚くすることなく、こじり強度を高めることができる。
【図面の簡単な説明】
【００２１】
【図１】本発明に係るコネクタの実施の形態を示す図であり、コネクタの斜視図である。
【図２】本発明に係るコネクタの実施の形態を示す図であり、コネクタの分解斜視図である。
【図３】本発明に係るコネクタの実施の形態を示す図であり、補強部材のかしめ時の説明図である。
【図４】本発明に係るコネクタの実施の形態を示す図であり、コネクタの相手方コネクタへの差し込みの説明図である。
【発明を実施するための形態】
【００２２】
以下、本発明の実施の形態について添付図面を参照して詳細に説明する。図１および図２を参照して、コネクタの全体構成について説明する。図１は、本発明の実施の形態に係るコネクタの斜視図である。図２は、本発明の実施の形態に係るコネクタの分解斜視図である。
【００２３】
図１および図２に示すように、本実施の形態に係るコネクタ１は、ケーブルの先端に取り付けられるものであり、先端部分が相手方コネクタに差し込まれ、後端部分にケーブルが取り付けられる。コネクタ１は、複数の端子を保持するハウジング２と、ハウジング２の先端側をシールドするシールド部材３と、ハウジング２の後端側に取り付けられるケーブル取付部材４と、これらを強く接合させる補強部材５とを備えている。
【００２４】
ハウジング２は、合成樹脂により形成されており、複数の下段端子２１を保持するハウジング本体１１に、複数の上段端子３１を保持する上段端子保持部１２および相手方コネクタに差し込まれる差し込み部１３を装着して構成される。ハウジング本体１１は、差し込み方向に延びる一対の側壁１６の延在方向中間部を接続して上面視Ｈ状に形成されている。この一対の側壁１６を接続する接続部分は、複数の下段端子２１を保持する下段端子保持部１５であり、複数の下段端子２１を挿入方向の前後に延在させるように保持している。
【００２５】
複数の下段端子２１の先端部は、相手方コネクタのパッドに接触される接触部２２を有し、差し込み部１３内に位置される。複数の下段端子２１の後端部は、ケーブルに接続されるケーブル接続部２３を有し、ケーブル取付部材４に形成された挿通孔５３を介してケーブル取付部材４の下面に露出される。また、複数の下段端子２１の前側は、延在方向の途中部分を端子支持部２４により一体的に支持されている。
【００２６】
上段端子保持部１２は、複数の上段端子３１を挿入方向の前後に延在させるように保持している。上段端子保持部１２の幅方向両端部には、下面から一対の装着突起３６（図２では、１つのみ図示）が下方に突出されている。上段端子保持部１２は、ハウジング本体１１の延在方向の略中間部分に形成された載置面２５に載置され、載置面２５に形成された一対の装着穴２６に一対の装着突起３６が差し込まれることでハウジング本体１１に取り付けられる。
【００２７】
複数の上段端子３１の先端部は、相手方コネクタのパッドに接触される接触部３２を有し、差し込み部１３内に位置される。複数の上段端子３１の後端部は、ケーブルに接続されるケーブル接続部３３を有し、ケーブル取付部材４に形成された挿通孔５３を介してケーブル取付部材４の上面に露出される。また、複数の上段端子３１の前側は、延在方向の途中部分を端子支持部３４により一体的に支持されている。
【００２８】
差し込み部１３は、装着口４３が形成された先端部４１の幅方向両端部から後方に延びる一対の腕部４２を有している。一対の腕部４２には、後端面から一対の装着突起４４が後方に突出されている。差し込み部１３は、ハウジング本体１１の一対の側壁１６の前端面に形成された一対の装着穴３８に一対の装着突起４４が差し込まれることで、ハウジング本体１１に取り付けられる。
【００２９】
シールド部材３は、打ち抜き加工により抜き出されたステンレス等の金属板を折り曲げて、差し込み方向を開放した筒状に形成されている。シールド部材３の後端部には、上壁４５および底壁４６の一部を外方に折り曲げ、上壁４５および底壁４６から垂直に突出する一対の突出部４７が形成されている。一対の突出部４７は、前面が補強部材５に対向され、後面がケーブル取付部材４に対向される。
【００３０】
シールド部材３が取り付けられるハウジング本体１１の前半部には、シールド部材３の一対の側壁４８と相補形状となる一対の取付溝３７が形成されている。一対の取付溝３７は、一対の側壁１６の前端から延在方向中間部にかけて延在しており、シールド部材３の略前半部をハウジング本体１１から突出させた状態で保持する（図１参照）。このとき、シールド部材３は、略後半部において上段端子保持部１２および下段端子保持部１５を覆い、略前半部において差し込み部１３を覆っている。
【００３１】
また、シールド部材３としてステンレス等の強度の高い金属を使用することで、耐ノイズ性を高めると共に、金属板として薄板を選定することが可能となる。さらに、シールド部材３は曲げ加工により形成されるため、ステンレス等の強度の高い金属で形成する際に、深絞り加工と比較して簡易に形成することが可能となる。
【００３２】
ケーブル取付部材４は、合成樹脂によりブロック状に形成され、前端部には上段端子３１および下段端子２１が挿通される複数の挿通孔５３が形成されている。ケーブル取付部材４の上下面には、複数の挿通孔５３に連なり、複数の深溝５１ａと浅溝５１ｂからなるケーブルの取付部５１が形成されている。上段端子３１および下段端子２１は、挿通孔５３を通って取付部５１に露出され、この取付部５１においてケーブル配線に取り付けられる。
【００３３】
この場合、取付部５１において、深溝５１ａに露出された端子はケーブル配線に取付可能となっており、浅溝５１ｂに露出された端子はケーブル配線に取付不能となっている。すなわち、取付部５１の深溝５１ａと浅溝５１ｂによって、ケーブル配線の取付位置が規定される。ケーブル取付部材４の両側面には、ハウジング本体１１の一対の側壁１６にガイドされる被ガイド部５２が形成されている。ケーブル取付部材４は、ハウジング本体１１の一対の側壁１６の略後半部に形成されたガイドレール３９に被ガイド部５２が挿入方向にガイドされることで、ハウジング本体１１に着脱される。
【００３４】
このように、ケーブル取付部材４は、ハウジング２に対して着脱可能となっており、取付部５１の深溝５１ａと浅溝５１ｂによりケーブル配線の取付位置が規定されるため、取付部５１の深溝５１ａと浅溝５１ｂとの配置を変えたケーブル取付部材４に交換することにより、コネクタ１を多品種に対応させることが可能となっている。
【００３５】
補強部材５は、打ち抜き加工により抜き出された銅等の金属板を折り曲げて、差し込み方向を開放した環状に形成されている。補強部材５の前端部は、ハウジング本体１１にシールド部材３が装着された状態で、ハウジング２およびシールド部材３の外周を囲う環状部６１となっており、シールド部材３の略後半部とハウジング２の略中間部に嵌合される。
【００３６】
これにより、シールド部材３がハウジング２に強く接合されるため、こじり強度が高められる。また、環状部６１は、ハウジング２の差し込み部１３の後方において、シールド部材３とハウジング２を接合させるため、相手方コネクタに差し込まれるコネクタ１の先端部分を薄くして、薄型の電子機器に対応させることが可能となっている。また、補強部材５は、金属で形成されているため、シールド部材３と共に耐ノイズ性を高めることが可能となっている。
【００３７】
また、補強部材５は、環状部６１の幅方向両端部から後方に延び、ハウジング本体１１の一対の側壁１６の外側を覆う一対の側方支持部６２を有している。一対の側方支持部６２の上壁６３および底壁６４には、かしめによりケーブル取付部材４に係合される４つの係合部６５が形成されている。各係合部６５は、板厚の厚みによって形成される前面を、ケーブル取付部材４の被ガイド部５２の後面に当接させて、ケーブル取付部材４をシールド部材３の突出部４７に押し付けている。この各係合部６５とケーブル取付部材４との係合により、ハウジング２、シールド部材３およびケーブル取付部材４が強嵌合される。なお、各係合部６５とケーブル取付部材４との係合状態については後述する。
【００３８】
次に、図２および図３を参照して、コネクタの組み立てについて説明する。図３は、本発明の実施の形態に係る補強部材のかしめ時の説明図である。なお、図３においては、（ａ）および（ｂ）がかしめ前のコネクタ、（ｃ）および（ｄ）がかしめ後のコネクタをそれぞれ示している。また、（ｂ）および（ｄ）においては、説明の便宜上、ハウジングを省略して記載し、補強部材の係合部を破線で示している。
【００３９】
図２に示すように、ハウジング本体１１の載置面２５に形成された一対の装着穴２６に、上段端子保持部１２の装着突起３６が上方から差し込まれることで、ハウジング本体１１に上段端子保持部１２が装着される。次に、ハウジング本体１１の前端面に形成された一対の装着穴３８に、差し込み部１３の装着突起４４が前方から差し込まれることで、ハウジング本体１１に差し込み部１３が装着される。
【００４０】
次に、ハウジング本体１１の略前半部に形成された一対の取付溝３７に、シールド部材３が前方から差し込まれることで、ハウジング本体１１にシールド部材３が装着される。このとき、シールド部材３は、略前半部において差し込み部１３を覆っており、相手方コネクタに差し込まれる先端部分としてハウジング本体１１から突出される。
【００４１】
次に、ハウジング本体１１の略後半部に形成された一対のガイドレール３９に、ケーブル取付部材４の被ガイド部５２が後方から差し込まれることで、ハウジング本体１１にケーブル取付部材４が装着される。このとき、ハウジング２に保持された上段端子３１および下段端子２１がケーブル取付部材４の挿通孔５３を介して取付部５１に露出される。尚、ガイドレール３９と対応する被ガイド部５２は、誤組み込みを防止するために、幅寸法あるいは高さ寸法などの左右の形状を異ならせて形成することが好ましい。このように形成することで、所定の一方向からのみ組み込めるようになるため、確実に組み立てることが可能となる。
【００４２】
次に、ハウジング２およびシールド部材３に、環状の補強部材５が前方から嵌め込まれ、シールド部材３の突出部４７の前面に当接するまで押し込まれる。これにより、補強部材５は、シールド部材３の略後半部においてハウジング２とシールド部材３とを接合すると共に、係合部６５をケーブル取付部材４の後面側に位置させる。
【００４３】
このとき、図３（ａ）、（ｂ）に示すように、係合部６５のかしめ前において、補強部材５は、当接面６１ａがシールド部材３の突出部４７の前面４７ａに当接された状態で、ハウジング２に装着されている。また、ケーブル取付部材４は、当接面４ａが突出部４７の後面４７ｂとの間に隙間Ｌを有して離間された状態で、ハウジング２に装着されている。この状態から、係合部６５が矢印Ａ１方向にかしめられると、図３（ｃ）、（ｄ）に示すように、係合部６５の板厚の厚みによって形成される前面６５ａが、ケーブル取付部材４の被ガイド部５２の後面５２ａに当接される。
【００４４】
係合部６５の前面６５ａが被ガイド部５２の後面５２ａに当接されると、補強部材５に対して矢印Ａ２方向に力が作用し、補強部材５が突出部４７を撓ませつつ後方にずらされる。そして、突出部４７の撓みにより、突出部４７の後面４７ｂにケーブル取付部材４の当接面４ａが当接され、突出部４７が補強部材５およびケーブル取付部材４により前後から挟み込まれる。この構成により、シールド部材３、ケーブル取付部材４および補強部材５を強嵌合させ、こじり強度をさらに高めることが可能となる。
【００４５】
次に、シールド部材３の突出部４７と補強部材５とが半田付けされ、シールド部材３と補強部材５との接合力が高められると共に耐ノイズ性が向上される。そして、ケーブル取付部材４の取付部５１に露出された上段端子３１および下段端子２１にケーブル配線が接続され、コネクタ１が組み立てられる。
【００４６】
図４を参照して、コネクタの相手方コネクタへの差し込みについて説明する。図４は、本発明の実施の形態に係るコネクタの相手方コネクタへの差し込みの説明図である。なお、図４においては、（ａ）がコネクタの差し込み前、（ｂ）はコネクタの差し込み後にこじられた状態をそれぞれ示している。
【００４７】
図４（ａ）に示すように、コネクタ１は、先端側が露出された状態でケーブルの被膜に覆われており、相手方コネクタ７１は、電子機器内に取り付けられている。そして、図４（ｂ）に示すように、コネクタ１が相手方コネクタ７１に差し込まれると、コネクタ１が相手方コネクタ７１によって片持支持される。この状態で、矢印Ａ３方向にこじられると、補強部材５によりハウジング２、シールド部材３、ケーブル取付部材４が一体の剛体とされているため、コネクタ１の破損が防止される。また、補強部材５は、コネクタ１の先端部分の後方に設けられるため、薄板のシールド部材３を用いてコネクタ１の先端部分を大きくすることがない。
【００４８】
以上のように、本実施の形態に係るコネクタ１によれば、相手方コネクタ７１に差し込まれる先端部分の後方に位置するシールド部材３の後側およびコネクタ１の差し込み方向中間が補強部材５により補強されるため、シールド部材３の板厚を厚くすることなく、こじり強度を高めることができる。また、補強部材５の係合部６５の係合によって、シールド部材３の突出部４７がケーブル取付部材４の当接面４ａおよび補強部材５の当接面６１ａとにより挟み込まれるため、シールド部材３、ケーブル取付部材４および補強部材５を強嵌合させ、こじり強度を高めることができる。したがって、こじり強度を確保しつつ、コネクタを薄型の電子機器に対応させることができる。
【００４９】
なお、上記した実施の形態においては、ハウジング本体に端子保持部としての上段端子保持部と差し込み部とを装着してハウジングを構成したが、この構成に限定されるものではない。ハウジングが差し込み部と端子保持部とを有していればよく、例えば、ハウジング本体、上段端子保持部および差し込み部を一体成形してハウジングを構成してもよい。
【００５０】
また、上記した実施の形態においては、シールド部材および補強部材を金属により形成したが、この構成に限定されるものではない。所定の強度およびノイズ耐性を有する材料であれば、金属以外の材料でシールド部材および補強部材を形成してもよい。
【００５１】
また、上記した実施の形態においては、シールド部材を筒状に形成したが、この構成に限定されるものではない。シールド部材は、差し込み方向を開放されて差し込み部および端子保持部を覆うものであればよく、例えば、側面視Ｃ字状に形成して差し込み部および端子保持部を部分的に覆うようにしてもよい。
【００５２】
また、上記した実施の形態においては、補強部材を環状に形成したが、この構成に限定されるものではない。補強部材は、ハウジングとシールド部材との接合力を補強する形状であればよく、例えば、側面視Ｃ字状に形成してハウジングおよびシールド部材を部分的に取り囲むようにしてもよい。
【００５３】
また、上記した実施の形態においては、補強部材の係合部とケーブル取付部材の被ガイド部との係合により、補強部材が後方にずらされて補強部材、シールド部材およびケーブル取付部材が強嵌合される構成としたが、この構成に限定されるものではない。補強部材の係合部がケーブル取付部材をシールド部材の突出部に押し付けるように係合して、シールド部材およびケーブル取付部材が強嵌合される構成であればよく、例えば、シールド取付部材が前方にずらされる構成としてもよい。
【００５４】
また、上記した実施の形態においては、本発明をハウジングとケーブル取付部材とを別体としたコネクタに適用して説明したが、この構成に限定されるものではない。本発明をハウジングとケーブル取付部材とを一体としたコネクタに適用することも可能である。
【００５５】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００５６】
以上説明したように、本発明は、差し込み部をシールドするシールド部材の板厚を厚くすることなく、こじり強度を高めることができるという効果を有し、特に、電子機器に接続されるケーブルの先端に設けられるコネクタに有用である。
【符号の説明】
【００５７】
１  コネクタ
２  ハウジング
３  シールド部材
４  ケーブル取付部材
４ａ  当接面（ケーブル取付部材の当接面）
５  補強部材
１１  ハウジング本体
１２  上段端子保持部（端子保持部）
１３  差し込み部
１５  下段端子保持部（端子保持部）
２１  下段端子（端子）
３１  上段端子（端子）
４７  突出部
４７ａ  前面（突出部の前面）
４７ｂ  後面（突出部の後面）
５１  取付部
５３  挿通孔
６１  環状部
６１ａ  当接面（補強部材の当接面）
６２  側方支持部
６５  係合部
７１  相手方コネクタ
【図１】
0005497379.tif 000002
【図２】
0005497379.tif 000003
【図３】
0005497379.tif 000004
【図４】
0005497379.tif 000005